(57)【要約】【課題】噴霧装置を備える室外機において、熱交換器の腐食を抑制できる空気調和装置の室外機を提供する。【解決手段】空気調和装置の室外機１は、熱交換器１３と、熱交換器１３に向かう空気に水を噴霧するための噴霧装置４とを備える。噴霧装置４は、第１噴霧孔５１と第２噴霧孔５２を有する。第２噴霧孔５２は、第１噴霧孔５１よりも熱交換器１３に近い位置に設けられている。第２噴霧孔５２は、第１噴霧孔５１が噴霧する水よりも微粒化された水を噴霧する。【選択図】図３
2014126325.tif 000002
【特許請求の範囲】
【請求項１】
熱交換器（１３）と、
前記熱交換器（１３）に向かう空気に水を噴霧するための噴霧装置（４）と、を備え、
前記噴霧装置（４）は、第１噴霧孔（５１）と第２噴霧孔（５２）を有し、
前記第２噴霧孔（５２）は、前記第１噴霧孔（５１）よりも前記熱交換器（１３）に近い位置に設けられ、前記第１噴霧孔（５１）が噴霧する水よりも微粒化された水を噴霧する空気調和装置の室外機。
【請求項２】
前記噴霧装置（４）は、
多数の気泡が水に混入された第１混入水（Ｗ１）を生成する第１気泡混入部（２１）と、
多数の気泡が水に混入された第２混入水（Ｗ２）を生成する第２気泡混入部（２２）と、をさらに有し、
前記第１噴霧孔（５１）には前記第１混入水（Ｗ１）が供給され、
前記第２噴霧孔（５２）には前記第２混入水（Ｗ２）が供給される、請求項１に記載の空気調和装置の室外機。
【請求項３】
前記第２混入水（Ｗ２）における水に対するガスの比率は、前記第１混入水（Ｗ１）における水に対するガスの比率よりも大きい、請求項２に記載の空気調和装置の室外機。
【請求項４】
前記噴霧装置（４）は、前記第１気泡混入部（２１）、前記第２気泡混入部（２２）、前記第１噴霧孔（５１）及び前記第２噴霧孔（５２）を一体として有する噴霧ノズル（５）を備える、請求項２又は３に記載の空気調和装置の室外機。
【請求項５】
前記第１気泡混入部（２１）において生成された第１混入水（Ｗ１）の一部が、前記第２気泡混入部（２２）に分流され、
前記第２気泡混入部（２２）は、前記第１気泡混入部（２１）から分流した第１混入水（Ｗ１）に対してさらに気泡を混入することによって前記第２混入水（Ｗ２）を生成する、請求項４に記載の空気調和装置の室外機。
【請求項６】
前記第２噴霧孔（５２）の孔径は、前記第１噴霧孔（５１）の孔径よりも小さい、請求項１〜５の何れか１項に記載の空気調和装置の室外機。
【請求項７】
前記第１噴霧孔（５１）から噴霧される水の噴霧方向は、前記熱交換器（１３）から遠ざかる方向に向いている、請求項１〜６の何れか１項に記載の空気調和装置の室外機。
【請求項８】
前記第１噴霧孔（５１）から噴霧される水の噴霧方向は、前記第２噴霧孔（５２）から噴霧される水の噴霧方向に対して遠ざかる方向に傾斜している、請求項１〜７の何れか１項に記載の空気調和装置の室外機。
【請求項９】
前記熱交換器（１３）に向かう空気の流れをつくる送風機（１４）と、
前記熱交換器（１３）及び前記送風機（１４）を収容するケース（１２）と、をさらに備え、
前記熱交換器（１３）は、ケース（１２）内において前記ケース（１２）の側板に沿って上方に起立する姿勢で配置されており、
前記送風機（１４）は、ケース（１２）の上部に配置され、
前記ケース（１２）の側板には、前記熱交換器（１３）に沿う位置にケース（１２）内に空気を吸い込む吸込口が設けられ、前記ケース（１２）の天板には、前記熱交換器（１３）を通過した空気がケース（１２）外に吹き出される吹出口（１７）が設けられており、
前記第１噴霧孔（５１）及び前記第２噴霧孔（５２）は、前記ケース（１２）の上部に配置されるとともに、下方又は斜め下方に向けて水を噴霧する、請求項１〜８の何れか１項に記載の空気調和装置の室外機。
【発明の詳細な説明】
【技術分野】
【０００１】
本発明は、空気調和装置の室外機に関する。
【背景技術】
【０００２】
従来、噴霧ノズルから水を熱交換器に噴霧して熱交換器を補助的に冷却する噴霧装置を備えた空気調和装置の室外機が知られている（例えば特許文献１）。また、噴霧ノズルとしては、例えば特許文献２や特許文献３に開示されているタイプの噴霧ノズルが知られている。噴霧ノズルを備えた室外機では、噴霧された水により熱交換器が冷却されるので、空気調和装置に必要とされる動力（消費電力）を低減する効果が得られる。
【０００３】
噴霧ノズルから噴霧される液滴が熱交換器の表面に付着すると、熱交換器が腐食する場合があるので、特許文献１には、微細ミストを発生させるノズルを噴霧ノズルとして用いることによって、液滴が熱交換器に到達する前に蒸発しやすいようにする技術が開示されている。
【先行技術文献】
【特許文献】
【０００４】
【特許文献１】特開２００８−１２８５００号公報
【特許文献２】実用新案登録第３０３２２０１号公報
【特許文献３】特開２００８−１８４００号公報
【発明の概要】
【発明が解決しようとする課題】
【０００５】
ところで、例えばビル用の大型の室外機では、熱交換器は、熱交換の効率を高めるために例えばケースの側板のほぼ全体に沿うように配置されているので、側面視したときの熱交換器の領域は非常に大きい。噴霧ノズルから噴霧される水は、放射状に拡散しつつ空気の流れによって熱交換器に向かって移動する。
【０００６】
噴霧ノズルが例えばケースの上部などに設置され、噴霧ノズルから水を下方に噴霧するような場合、熱交換器の下部側に向かう液滴は、熱交換器の表面までの距離が長いので熱交換器に到達する前に蒸発する一方で、熱交換器の上部側に向かう液滴は、蒸発する前に熱交換器の表面に付着する場合がある。
【０００７】
本発明の目的は、噴霧装置を備える室外機において、熱交換器の腐食を抑制できる空気調和装置の室外機を提供することである。
【課題を解決するための手段】
【０００８】
本発明の室外機は、熱交換器（１３）と、前記熱交換器（１３）に向かう空気に水を噴霧するための噴霧装置（４）と、を備える。前記噴霧装置（４）は、第１噴霧孔（５１）と第２噴霧孔（５２）を有する。前記第２噴霧孔（５２）は、前記第１噴霧孔（５１）よりも前記熱交換器（１３）に近い位置に設けられている。前記第２噴霧孔（５２）は、前記第１噴霧孔（５１）が噴霧する水よりも微粒化された水を噴霧する。
【０００９】
この構成では、熱交換器（１３）との距離が近い第２噴霧孔（５２）から噴霧される水は、第１噴霧孔（５１）から噴霧される水よりも微細化されているので、熱交換器（１３）に到達する前に蒸発しやすくなる。これにより、熱交換器（１３）の腐食を抑制することができる。
【００１０】
具体的には、前記室外機において、前記噴霧装置（４）は、多数の気泡が水に混入された第１混入水（Ｗ１）を生成する第１気泡混入部（２１）と、多数の気泡が水に混入された第２混入水（Ｗ２）を生成する第２気泡混入部（２２）と、をさらに有し、前記第１噴霧孔（５１）には前記第１混入水（Ｗ１）が供給され、前記第２噴霧孔（５２）には前記第２混入水（Ｗ２）が供給される形態が例示できる。
【００１１】
前記室外機において、前記第２噴霧孔（５２）が噴霧する水を、前記第１噴霧孔（５１）が噴霧する水よりも微粒化する手段としては、例えば、前記第２混入水（Ｗ２）における水に対するガスの比率を、前記第１混入水（Ｗ１）における水に対するガスの比率よりも大きくするという手段が挙げられる。
【００１２】
前記室外機において、前記噴霧装置（４）は、前記第１気泡混入部（２１）、前記第２気泡混入部（２２）、前記第１噴霧孔（５１）及び前記第２噴霧孔（５２）を一体として有する噴霧ノズル（５）を備えるのが好ましい。
【００１３】
この構成では、単一の噴霧ノズル（５）において第１混入水（Ｗ１）及び第２混入水（Ｗ２）を形成することができ、しかも、単一の噴霧ノズル（５）において第１噴霧孔（５１）と第２噴霧孔（５２）のそれぞれから水を噴霧できるので、単一の噴霧ノズル（５）によって広い範囲をカバーしつつ、熱交換器（１３）の腐食を抑制できる。
【００１４】
前記室外機において、前記第１気泡混入部（２１）において形成された第１混入水（Ｗ１）の一部が、前記第２気泡混入部（２２）に分流され、前記第２気泡混入部（２２）は、前記第１気泡混入部（２１）から分流した第１混入水（Ｗ１）に対してさらに気泡を混入することによって前記第２混入水（Ｗ２）を生成するのが好ましい。
【００１５】
この構成では、第２混入水（Ｗ２）には第１混入水（Ｗ１）よりも多くの気泡が混入されるので、この第２混入水（Ｗ２）が供給される第２噴霧孔（５２）から噴霧される水の粒径を小さくすることができる。
【００１６】
前記室外機において、前記第２噴霧孔（５２）が噴霧する水を、前記第１噴霧孔（５１）が噴霧する水よりも微粒化する手段としては、水に対するガスの比率を大きくするという手段の他、例えば、前記第２噴霧孔（５２）の孔径を、前記第１噴霧孔（５１）の孔径よりも小さくするという手段が挙げられる。
【００１７】
前記室外機において、前記第１噴霧孔（５１）から噴霧される水の噴霧方向が、前記熱交換器（１３）から遠ざかる方向に向いている場合には、その水が熱交換器（１３）に到達するまでの距離をより長くすることができるので、蒸発する前に熱交換器（１３）に到達するのをさらに抑制できる。
【００１８】
前記室外機において、前記第１噴霧孔（５１）から噴霧される水の噴霧方向が、前記第２噴霧孔（５２）から噴霧される水の噴霧方向に対して遠ざかる方向に傾斜している場合には、第１噴霧孔（５１）から噴霧される水の拡散範囲と、第２噴霧孔（５２）から噴霧される水の拡散範囲とが重なりにくくなる。したがって、互いの拡散範囲が重なることに起因して水の粒径が大きくなるのを抑制できる。
【００１９】
前記室外機の具体例としては、次の形態が挙げられる。すなわち、前記室外機は、前記熱交換器（１３）に向かう空気の流れをつくる送風機（１４）と、前記熱交換器（１３）及び前記送風機（１４）を収容するケース（１２）と、をさらに備え、前記熱交換器（１３）は、ケース（１２）内において前記ケース（１２）の側板に沿って上方に起立する姿勢で配置されており、前記送風機（１４）は、ケース（１２）の上部に配置され、前記ケース（１２）の側板には、前記熱交換器（１３）に沿う位置にケース（１２）内に空気を吸い込む吸込口が設けられ、前記ケース（１２）の天板には、前記熱交換器（１３）を通過した空気がケース（１２）外に吹き出される吹出口（１７）が設けられており、前記第１噴霧孔（５１）及び前記第２噴霧孔（５２）は、前記ケース（１２）の上部に配置されるとともに、下方又は斜め下方に向けて水を噴霧する。
【発明の効果】
【００２０】
本発明によれば、噴霧装置を備える室外機において、熱交換器の腐食を抑制できる。
【図面の簡単な説明】
【００２１】
【図１】本発明の実施形態に係る室外機を示す概略図である。
【図２】前記室外機における噴霧ノズル、熱交換器及び吹出口の配置例を示す斜視図である。
【図３】前記噴霧ノズルを示す断面図である。
【図４】前記噴霧ノズルのオリフィス部を示す断面図である。
【図５】（Ａ）は、図４のＶＡ−ＶＡ線断面図であり、（Ｂ）は、図４のＶＢ−ＶＢ線断面図であり、（Ｃ）は、図のＶＣ−ＶＣ線断面図である。
【図６】前記室外機における噴霧ノズル、熱交換器及び送風機の配置例を示す側面図であり、噴霧ノズルから噴霧される水の流れを示している。
【図７】前記室外機の変形例１を示す斜視図である。
【図８】前記室外機の変形例２を示す斜視図である。
【図９】前記室外機の変形例３を示す斜視図である。
【図１０】前記噴霧ノズルの変形例１を示す断面図である。
【図１１】図１０の噴霧ノズルにおけるエア案内管を示す斜視図である。
【図１２】（Ａ）は、前記噴霧ノズルの変形例２を示す断面図であり、（Ｂ）は、変形例２の噴霧ノズル、熱交換器及び送風機の配置例１を示す側面図である。
【図１３】（Ａ）は、変形例２の噴霧ノズル、熱交換器及び送風機の配置例２を示す側面図であり、（Ｂ）は、変形例２の噴霧ノズル、熱交換器及び送風機の配置例３を示す側面図である。
【発明を実施するための形態】
【００２２】
以下、本発明の実施形態に係る室外機１について図面を参照して説明する。実施形態に係る室外機１は、空気調和装置に用いられる。この空気調和装置は、図１に示す室外機１と、図略の室内機と、これらを接続する図略の冷媒配管とを備えている。
【００２３】
（室外機の全体構造）
図１に示すように、室外機１は、ケース１２内に配置された熱交換器１３、送風機１４、圧縮機１５、噴霧装置４、外気温度センサ１８、制御部１６などを備えている。送風機１４、圧縮機１５及び噴霧装置４は、制御部１６により制御される。圧縮機１５及び熱交換器１３は、空気調和装置の冷媒回路に設けられている。
【００２４】
熱交換器１３としては、例えばクロスフィンコイル式の熱交換器が挙げられるが、これに限定されない。クロスフィンコイル式の熱交換器は、伝熱管と、伝熱管が貫通する多数のプレートフィンとを備えており、伝熱管の内部を冷媒が流れ、プレートフィン同士の間を外気が流れる。
【００２５】
図２に示すように、熱交換器１３は、ケース１２の底板から上方に延びており（即ち、熱交換器１３は、室外機１の設置面（水平面）に対して立設され）、平面視で略Ｕ字形状を有している。ケース１２の４つの側板のうち、熱交換器１３に対向する３つの側板１２ａ，１２ｂ，１２ｃには、外気をケース１２内に吸い込むために図略の吸込口が設けられている。また、ケース１２の天板１２ｄにはケース１２内の空気を外部に吹き出すための吹出口１７が設けられている。
【００２６】
送風機（ファン）１４としては、遠心送風機、軸流送風機、斜流送風機などを用いることができる。送風機１４は、羽根車１４ａと、この羽根車１４ａを回転させる図略のモータとを備えている。送風機１４は、室外機１において熱交換器１３より水平方向内側で且つ上側に配置されている。具体的には、送風機１４は、図１に示すようにケース１２内の上部に設けられており、図２に示す吹出口１７の直下に配置されている。そして、送風機１４は、室外機１（ケース１２）の内部に入って熱交換器１３と熱交換した後の空気を上方に向けて室外機１（ケース１２）から外部に排出する。即ち、送風機１４は、熱交換器１３よりも空気の流れ方向の下流側に位置している。
【００２７】
空気調和装置の運転時には、圧縮機１５に動力が与えられることにより冷媒が室外機１と前記室内機との間を循環するとともに、送風機１４の前記モータに動力が与えられることにより羽根車１４ａが回転し、前記吸込口からケース１２の内部に外気が吸い込まれる。ケース１２内に吸い込まれた外気は、上記のように、熱交換器１３において冷媒と熱交換した後、吹出口１７を通じてケース１２の外部に吹き出される。具体的には、例えば冷房運転時には、ケース１２内に吸い込まれた外気は、凝縮器として機能する熱交換器１３における前記伝熱管を介して、この伝熱管内を流れる高温高圧の冷媒と熱交換する。すなわち、外気は、熱交換器１３の伝熱管及び冷媒を冷却する。これにより、前記伝熱管を流れる冷媒は、冷却されて凝縮する。
【００２８】
（噴霧装置の全体構造）
次に、噴霧装置４について説明する。噴霧装置４は、冷房運転時において熱交換器１３に向かう外気を冷却することができる。すなわち、噴霧装置４は、熱交換器１３に向かう外気の温度を低下させることにより、熱交換器１３の伝熱管及び冷媒を冷却する効果を高めることができる。このように噴霧装置４は、熱交換器１３及び冷媒を補助的に冷却して空気調和装置の冷房能力を高めることができる。
【００２９】
図１及び図２に示すように、噴霧装置４は、複数の噴霧ノズル５と、水供給機構６０と、エア供給機構７０とを備えている。
【００３０】
各噴霧ノズル５は、熱交換器１３に向かう空気に水を噴霧する。複数の噴霧ノズル５は、ケース１２の側板、天板、又はケース１２に別途設けられた図略の支持部材によって支持されている。各噴霧ノズル５は、送風機１４の羽根車１４ａが回転することにより形成される気流の方向において、熱交換器１３よりも上流側に位置している。本実施形態では、各噴霧ノズル５は、室外機１において、熱交換器１３より外側で且つ上側に配置され、液滴（本実施形態では水滴）が下方に向かって噴霧されるように配置されている。即ち、各噴霧ノズル５は、その軸方向が熱交換器１３に向かう略水平方向の外気（空気）の流れと交わる方向（例えば略直交する方向）に向けられた状態となるように配置されている。各噴霧ノズル５から噴霧された水滴は、下方に向かって放射状に拡散しつつ前記空気の流れによって熱交換器１３に向かって移動する。水滴の全部又はその大半は、熱交換器１３に到達する前に気化する。
【００３１】
図２に示すように、複数の噴霧ノズル５は、噴霧装置４による冷却効果が熱交換器１３のほぼ全体にわたって及ぼされるように、熱交換器１３に対向する３つの側板１２ａ、１２ｂ、１２ｃにおいて互いに水平方向に間隔を空けて配置されている。詳しくは、各噴霧ノズル５から噴霧される水滴が拡散する範囲、即ち、熱交換器１３に向かう外気が各噴霧ノズル５によって冷却される範囲に基づいて、複数の噴霧ノズル５は、互いに水平方向に例えば数十センチ程度の間隔を空けて配置される。
【００３２】
水供給機構６０は、液送配管６１と、液送ポンプ６２とを含む。液送配管６１は、例えば水道などの水供給源Ｔと各噴霧ノズル５とを接続している。液送ポンプ６２は、液送配管６１を通じて水を各噴霧ノズル５に送液する。
【００３３】
エア供給機構７０は、例えばコンプレッサーなどの気送ポンプ７２と、気送配管７１とを含む。気送配管７１は、気送ポンプ７２と各噴霧ノズル５とを接続している。
【００３４】
図１では、一つの噴霧ノズル５に対して水供給機構６０及びエア供給機構７０が接続されている状態を示しており、他の噴霧ノズル５の図示を省略しているが、水供給機構６０及びエア供給機構７０は、他の噴霧ノズル５に対しても図１に示す接続状態と同様にして接続される。具体的には、例えば、水供給機構６０の液送配管６１は、途中で分岐して複数の噴霧ノズル５に接続され、エア供給機構７０の気送配管７１は、途中で分岐して複数の噴霧ノズル５に接続される。
【００３５】
外気温度センサ１８は、外気温度を検知することができる。例えば、制御部１６は、外気温度センサ１８によって外気温度が所定の温度以上に達したことを検知すると、冷房運転の負荷が所定のレベルを超えたと判断し、液送ポンプ６２及び気送ポンプ７２を制御して複数の噴霧ノズル５から水の噴霧を開始する。例えば、制御部１６は、所定時間の間、各噴霧ノズル５から連続的に又は間欠的に水が噴霧されるように液送ポンプ６２及び気送ポンプ７２を制御する。
【００３６】
（噴霧ノズルの特徴）
次に、複数の噴霧ノズル５の構造について詳細に説明する。本実施形態では、複数の噴霧ノズル５は、互いに同様の構造を有している。図３は、複数の噴霧ノズル５のうちの一つを示す断面図である。図３に示す噴霧ノズル５は、多数の気泡が予め混入された気泡混入水を噴霧孔から噴霧する二流体ノズルである。
【００３７】
図３に示すように、本実施形態の室外機１は、噴霧ノズル５が、水を噴霧する第１噴霧孔５１と第２噴霧孔５２を有している点を特徴としている。噴霧ノズル５は、多数の気泡が水に混入された第１混入水Ｗ１を生成する第１気泡混入部２１と、多数の気泡が水に混入された第２混入水Ｗ２を生成する第２気泡混入部２２とを有する。第１噴霧孔５１には第１混入水Ｗ１が供給され、第２噴霧孔５２には第２混入水Ｗ２が供給される。本実施形態では、噴霧ノズル５は、第１気泡混入部２１、第２気泡混入部２２、第１噴霧孔５１及び第２噴霧孔５２を一体として有するが、これに限られない。
【００３８】
図３に示すように、噴霧ノズル５は、第２噴霧孔５２が第１噴霧孔５１よりも熱交換器１３に近い位置となるように配置される。第２噴霧孔５２は、第１噴霧孔５１が噴霧する水よりも微粒化された水を噴霧する。第１噴霧孔５１から噴霧される水の粒径、及び第２噴霧孔５２から噴霧される水の粒径は、例えばレーザーＰＤＡ（Ｐｈａｓｅ  Ｄｏｐｐｌｅｒ  Ａｎｅｍｏｍｅｔｒｙ）を用いた粒径測定方法、高速写真撮影された画像を分析する粒径測定方法などを用いて測定することができる。
【００３９】
本実施形態における噴霧ノズル５では、第１気泡混入部２１において形成された第１混入水Ｗ１の一部が、第２気泡混入部２２に分流される。第２気泡混入部２２は、第１気泡混入部２１から分流した第１混入水Ｗ１に対してさらに気泡を混入することによって第２混入水Ｗ２を生成する。したがって、第２混入水Ｗ２における水に対するガスの比率は、第１混入水Ｗ１における水に対するガスの比率よりも大きくなりやすい。これにより、第２噴霧孔５２は、第１噴霧孔５１が噴霧する水よりも微粒化された水を噴霧することができる。
【００４０】
また、図３に示す本実施形態では、第２噴霧孔５２の孔径は、第１噴霧孔５１の孔径よりも小さい。したがって、第２噴霧孔５２は、第１噴霧孔５１が噴霧する水よりも微粒化された水を噴霧するのに適している。ただし、第２噴霧孔５２の孔径は、第１噴霧孔５１の孔径と同じであってもよい。
【００４１】
本実施形態の噴霧ノズル５の主な特徴は以上の通りであるが、以下では、噴霧ノズル５の具体的な構成についてさらに説明する。ただし、噴霧ノズル５は、以下に示す具体的実施形態に限定されるものではない。
【００４２】
（噴霧ノズルの具体的な全体構成）
図３に示すように、噴霧ノズル５は、胴部１０と、胴部１０よりも下流側（水の流れ方向の下流側）に位置するオリフィス部５０とを有している。本実施形態では、第１気泡混入部２１は、胴部１０に設けられており、第２気泡混入部２２、第１噴霧孔５１及び第２噴霧孔５２は、オリフィス部５０に設けられているが、これに限られない。例えば、第２２気泡混入部２２は、胴部１０に設けられていてもよい。
【００４３】
胴部１０は、水供給源Ｔから供給される水をオリフィス部５０に案内する機能を有する。また、胴部１０は、第１気泡混入部２１において、胴部１０に供給された水に微細な気泡を混入させることにより、多数の気泡が水に混入された第１混入水Ｗ１を形成する機能を有する。本実施形態では、噴霧ノズル５は、胴部１０の長手方向が上下方向に向き、胴部１０がオリフィス部５０よりも上方に位置するように配置されているが、これに限られない。
【００４４】
オリフィス部５０は、胴部１０の第１気泡混入部２１において生成されて胴部１０によって導かれた第１混入水Ｗ１を受け入れる。オリフィス部５０は、第１混入水Ｗ１を第1噴霧孔５１から噴霧する機能を有する。また、オリフィス部５０は、第１混入水Ｗ１を第２気泡混入部２２に供給する機能を有する。また、オリフィス部５０は、第２気泡混入部２２において、供給された第１混入水Ｗ１に微細な気泡を混入させることにより、多数の気泡が水に混入された第２混入水Ｗ２を生成する機能を有する。また、オリフィス部５０は、第２混入水Ｗ２を第２噴霧孔５２から噴霧する機能を有する。
【００４５】
第１噴霧孔５１は、第１混入水Ｗ１を安定的に噴霧ノズル５の外部に送るとともに、第１噴霧孔５１前後に圧力差を設けることで第１噴霧孔５１から出た気泡が膨張し、水滴を微細化して噴霧する機能を有する。同様に、第２噴霧孔５２は、第２混入水Ｗ２を安定的に噴霧ノズル５の外部に送るとともに、第２噴霧孔５２前後に圧力差を設けることで第２噴霧孔５２から出た気泡が膨張し、水滴を微細化して噴霧する機能を有する。
【００４６】
（胴部の具体的な構成）
次に、胴部１０の具体的な構成について説明するが、胴部１０の構成は、以下の構成に限定されるものではない。
【００４７】
図３に示すように、胴部１０は、径方向よりも軸方向の方が長い柱状（例えば円柱状、角柱状など）の外形を有している。図３に示す胴部１０は、一方向（例えば鉛直方向又は鉛直方向に対して傾斜した方向）に延びる円柱状の外形を有している。胴部１０は、エア案内管（外側円筒部）３１と、エア案内管３１の内側に配置された水案内管（内側円筒部）４１とを有している。すなわち、エア案内管３１の内部に水案内管４１が挿入されている。
【００４８】
水案内管４１には、厚み方向に貫通する複数の第１エア導入孔４３ａが設けられている。エア案内管３１には、エア流路Ｆ１に空気を供給するためのエア供給部３２が設けられている。エア供給部３２は、例えば、エア流路Ｆ１に連通する空気の供給孔３２ａが内部に形成された円筒形状を有している。このエア供給部３２には、図１に示す気送配管７１が接続される。第１エア導入孔４３ａの個数、孔径などを調整することによって、水流路Ｆ２に供給される気泡の大きさ、ガス注入量などを調節できる。気泡の大きさ、ガス注入量などを調節することによって、第１噴霧孔５１から噴霧される水の粒径を調節できる。ただし、粒径の調整方法は、これに限られない。
【００４９】
エア案内管３１の軸方向と水案内管４１の軸方向とは一致している。また、これらの軸は、ほぼ同一直線状に位置している。エア案内管３１及び水案内管４１は、それぞれ一方向（例えば鉛直方向又は鉛直方向に対して傾斜した方向）に延びる管形状を有し、互いの中心軸が一致若しくは略一致するように配置されている。例えば、水案内管４１及びエア案内管３１は円筒形状を有し、エア案内管３１の内径は、水案内管４１の外径よりも大きい。エア案内管３１の内周面と水案内管４１の外周面とは径方向に互いに離隔している。
【００５０】
エア流路Ｆ１の一端（本実施形態においては下端）は、オリフィス部５０によって塞がれており、エア流路Ｆ１の他端（本実施形態においては上端）は、閉塞部材３３によって塞がれている。
【００５１】
胴部１０は、上述したエア流路Ｆ１と、水流路Ｆ２とを有する。エア流路Ｆ１は、水案内管４１の外周面とエア案内管３１の内周面とにより区画される空間である。水流路Ｆ２は、水案内管４１の内周面に区画される空間である。本実施形態では、水流路Ｆ２が第１気泡混入部２１として機能する。
【００５２】
胴部１０は、第１気泡混入部２１に供給する気泡を形成するための気泡形成部を有する。気泡形成部は、エア流路Ｆ１と水流路Ｆ２との境界部に設けられている。本実施形態における気泡形成部は、複数の第１エア導入孔４３ａを含む。
【００５３】
複数の第１エア導入孔４３ａは、水案内管４１の周方向及び軸方向に互いに間隔をあけて配置されている。各第１エア導入孔４３ａの孔径は、エア供給部３２における供給孔３２ａの孔径よりも小さい。気泡形成部４３は、水案内管４１のうち、最上流に位置するエア導入孔４３ａから最下流に位置するエア導入孔４３ａまでの筒状の部位をいう。
【００５４】
気泡形成部４３の複数の第１エア導入孔４３ａにおいて形成された多数の気泡は、水流路Ｆ２（第１気泡混入部２１）に供給される。これにより、第１気泡混入部２１において、多数の気泡が水に混入された第１混入水Ｗ１がつくられる。この第１混入水Ｗ１は、第１案内管４１に沿ってオリフィス部５０に送られる。
【００５５】
（オリフィス部の具体的な構成）
図４は、噴霧ノズル５のオリフィス部５０を示す断面図である。図５（Ａ）は、図４のＶＡ−ＶＡ線断面図であり、図５（Ｂ）は、図４のＶＢ−ＶＢ線断面図であり、図５（Ｃ）は、図のＶＣ−ＶＣ線断面図である。
【００５６】
オリフィス部５０は、その前後で圧力差を生じさせて気泡の膨張により水滴を微細化して噴霧する機能を有する。また、オリフィス部５０は、エア流路Ｆ１の一端を塞ぐ閉塞面５９を有する閉塞部としての機能も有する。閉塞面５９は、エア案内管３１の一端と水案内管４１の一端とに当接している。
【００５７】
本実施形態では、上述したように第２気泡混入部２２、第１噴霧孔５１及び第２噴霧孔５２は、オリフィス部５０に設けられている。
【００５８】
オリフィス部５０は、第１噴霧部と、第２噴霧部とを有する。図４及び図５（Ａ）〜（Ｃ）に示すように、第１噴霧部は、第１噴霧孔５１と、第１連通路５３とを含む。第１噴霧孔５１は、第１連通路５３の先端部につながっている。第１連通路５３及び第１噴霧孔５１は、水流路Ｆ２と噴霧ノズル５の外部とを連通する。第２噴霧部は、第２噴霧孔５２と、第２連通路５４とを含む。第２噴霧孔５２は、第２連通路５４の先端部につながっている。第２連通路５４及び第２噴霧孔５２は、第１連通路５３と噴霧ノズル５の外部とを連通する。
【００５９】
第１連通路５３は、第１噴霧孔５１側に向かうにつれて内径が小さくなる第１テーパー面（内面）５３ａによって区画されている。第１噴霧孔５１は、第１テーパー面５３ａの先端部５３ｂに接続された筒状の内面５１ａによって区画されている。
【００６０】
第２連通路５４は、第２噴霧孔５２側に向かうにつれて内径が小さくなる第２テーパー面（内面）５４ａによって区画されている。第２噴霧孔５２は、第２テーパー面５４ａの先端部５４ｂに接続された筒状の内面５２ａによって区画されている。第２テーパー面５４ａの基端部は、第１テーパー面５３ａの一部分に設けられた分岐孔５３ｃに接続されている。これにより、第２連通路５４は、第１連通路５３から分岐した流路となっている。
【００６１】
オリフィス部５０は、第２気泡混入部２２に供給する気泡を形成するための気泡形成部５５と、気泡形成部５５に空気を供給する供給部５６とを有する。本実施形態では、第２連通路５４が第２気泡混入部２２として機能する。本実施形態では、気泡形成部５５は、第２連通路５４と供給部５６との間に設けられた１つ又は複数の第２エア導入孔５５である。第２エア導入孔５５は、第２連通路５４と供給部５６とを連通している。
【００６２】
供給部５６は、オリフィス部５０の上面（閉塞面５９）から下方に凹む凹形状を呈し、第２連通路５４に隣り合う位置に設けられている。供給部５６は、内面５６ａによって区画されている。
【００６３】
第２エア導入孔５５の一端は、供給部５６の内面５６ａに設けられた孔につながり、第２エア導入孔５５の他端は、第２連通路５４の内面５４ａに設けられた孔５４ｃにつながっている。第２エア導入孔５５の孔径は、第１エア導入孔４３ａの孔径と同程度であってもよく、また、図３に示すように第１エア導入孔４３ａの孔径よりも小さくてもよい。第２エア導入孔５５の個数、孔径などを調整することによって、第２連通路５４（第２気泡混入部２２）に供給される気泡の大きさ、ガス注入量などを調節できる。気泡の大きさ、ガス注入量などを調節することによって、第２噴霧孔５２から噴霧される水の粒径を調節できる。ただし、粒径の調整方法は、これに限られない。
【００６４】
供給部５６は、図３に示すように胴部１０のエア流路Ｆ１に接続されているので、エア流路Ｆ１を流れる空気の一部が供給部５６に流れ込み、その空気は、第２エア導入孔５５を通じて第２連通路５４（第２気泡混入部２２）に供給される。
【００６５】
また、図３及び図４に示すように、本実施形態では、第１噴霧孔５１から噴霧される水の噴霧方向は、熱交換器１３から遠ざかる方向Ｄ２に向いている。すなわち、第１噴霧孔５１から噴霧される水の噴霧方向は、鉛直方向に対して方向Ｄ２に傾斜した方向に向いている。また、第１噴霧孔５１から噴霧される水の噴霧方向は、第２噴霧孔５２から噴霧される水の噴霧方向に対して遠ざかる方向に傾斜している。本実施形態では、第２噴霧孔５２から噴霧される水の噴霧方向は、熱交換器１３に近づく方向Ｄ１に向いている。すなわち、第２噴霧孔５２から噴霧される水の噴霧方向は、鉛直方向に対して方向Ｄ１に傾斜した方向に向いている。ただし、第１噴霧孔５１から噴霧される水の噴霧方向、及び第２噴霧孔５２から噴霧される水の噴霧方向は、上記の形態に限られず、互いに同じ方向（例えば鉛直方向）を向いていてもよい。
【００６６】
第１噴霧孔５１から噴霧される水の噴霧方向は、第１噴霧孔５１の向きである。具体的に、図４に示すように、第１噴霧孔５１の向きは、内面５１ａにより形成される筒形状の中心を通る直線Ｌ１の方向をいう。同様に、第２噴霧孔５２から噴霧される水の噴霧方向は、第２噴霧孔５２の向きである。具体的に、図４に示すように、第２噴霧孔５２の向きは、内面５２ａにより形成される筒形状の中心を通る直線Ｌ２の方向をいう。
【００６７】
エア流路Ｆ１を流れる空気のうち、第１エア導入孔４３ａを通じて水流路Ｆ２に供給される空気の量は、第２エア導入孔５５を通じて第２連通路５４（第２気泡混入部２２）に供給される空気の量よりも多い。また、水流路Ｆ２を流れる水のうち、第１噴霧孔５１から噴霧される水の量は、第２噴霧孔５２から噴霧される水の量よりも多い。すなわち、水流路Ｆ２を流れる水のうち、第２気泡混入部２２に分流する水の量は、分流せずに第１噴霧孔５１に流れる水の量よりも少ない。
【００６８】
本実施形態では、上記のような分流構造を採用しているので、第２噴霧部を流れる水（第２混入水Ｗ２）における水に対するガスの比率（ガス／水）は、第１噴霧部を流れる水（第１混入水Ｗ１）における水に対するガスの比率（ガス／水）よりも大きい。比率としては、例えば重量比（空気の重量／水の重量）が挙げられる。
【００６９】
第１連通路５３のテーパー面５３ａに沿って第１噴霧孔５１に向かって流れる第１混入水Ｗ１は、次第に流速が高められて第１噴霧孔５１に到達する。第１噴霧孔５１に到達した第１混入水Ｗ１は、多数の微細な気泡を含んでおり、これらの気泡とともに噴霧ノズル５の外部に噴霧される。多数の気泡を含む水が第１噴霧孔５１から噴霧されるとき又は第１噴霧孔５１から噴霧された後、気泡が膨張し、はじけて水滴が微細化される。
【００７０】
同様に、第２連通路５４のテーパー面５４ａに沿って第２噴霧孔５２に向かって流れる第２混入水Ｗ２は、次第に流速が高められて第２噴霧孔５２に到達する。第２噴霧孔５２に到達した第２混入水Ｗ２は、多数の微細な気泡を含んでおり（本実施形態では、第１混入水Ｗ１よりも多くの気泡を含んでいる）、これらの気泡とともに噴霧ノズル５の外部に噴霧される。多数の気泡を含む水が第２噴霧孔５２から噴霧されるとき又は第２噴霧孔５２から噴霧された後、気泡が膨張し、はじけて水滴が微細化される。
【００７１】
（動作）
図６は、室外機１における噴霧ノズル５、熱交換器１３及び送風機１４の配置例を示す側面図であり、噴霧ノズル５から噴霧される水の流れを示している。
【００７２】
図６に示すように、噴霧ノズル５の第１噴霧孔５１から噴霧される水は、例えば二点鎖線Ｓ1によって示されるような軌跡を描いて移動する。第１噴霧孔５１から噴霧される水は、主として熱交換器１３の高さ方向の中央付近や下部に流れ込む空気を冷却する。
【００７３】
これに対し、第２噴霧孔５２から噴霧される水は、例えば二点鎖線Ｓ２によって示されるような軌跡を描いて移動する。第２噴霧孔５２から噴霧される水は、主として熱交換器１３の高さ方向の上部に流れ込む空気を冷却する。
【００７４】
本実施形態の室外機１は、例えばビル用の大型の室外機（いわゆるビル用マルチタイプの室外機）であり、送風機１４がケース１２の上部に設けられているので、ケース１２の側板に設けられた吸込口から吸い込まれる空気は、熱交換器１３を通過してケース１２内を上方に流れる。この場合、熱交換器１３を通過する空気の風速は、上部ほど大きくなりやすい。図６に示すように、上部の風速Ｖ１は、それより下方の風速Ｖ２〜Ｖ４よりも大きい。
【００７５】
このような室外機１では、本実施形態における噴霧ノズル５が特に効果的である。すなわち、風速の大きな熱交換器１３の上部に向かう空気に対しては、第２噴霧孔５２から水が噴霧される。この水は、熱交換器１３までの距離が短く、しかも熱交換器１３に到達するまでの時間も短いが、第２噴霧孔５２から噴霧されているので、第１噴霧孔５１から噴霧される水よりも粒径が小さく、蒸発しやすい。これにより、熱交換器１３の上部においても水滴の付着が抑制される。
【００７６】
（室外機の変形例）
図７は、室外機１の変形例１を示す斜視図である。この室外機１は、図２に示す室外機１よりもさらに大型の室外機である。このような室外機１では、複数の噴霧ノズル５は、図７に示すように配置することができる。ただし、配置方法は、図例に限定されない。
【００７７】
図８は、室外機１の変形例２を示す斜視図である。この変形例２では、複数の噴霧ノズル５がケース１２の下部に配列されている。各噴霧ノズル５では、第２噴霧孔５２は、第１噴霧孔５１よりも熱交換器１３に近い位置に設けられている。水は、各噴霧孔５１，５２から上方又は斜め上方に噴霧される。
【００７８】
図９は、室外機１の変形例３を示す斜視図である。この変形例３では、送風機１４が熱交換器１３に水平方向に対向する位置に設けられている。このような形態は、例えば家庭用の小型の室外機などで採用されているが、それに限定されるものではない。
【００７９】
（噴霧ノズルの変形例）
図１０は、噴霧ノズル５の変形例１を示す断面図であり、図１１は、図１０の噴霧ノズル５におけるエア案内管３１の先端部を示す斜視図である。図１０に示す噴霧ノズル５では、水案内管４１にエア案内管３１が接続されている点が前記実施形態とは異なっている。
【００８０】
水案内管４１は、胴部１０と、胴部１０の一端につながるオリフィス部５０とを備える。オリフィス部５０は、第１噴霧部と第２噴霧部とを有する。第１噴霧部は、胴部１０の水流路Ｆ２と連通する第１連通路５３と、第１連通路５３の先端部に位置する第１噴霧孔５１とを有する。第１連通路５３は、第１噴霧孔５１側に向かうにつれて内径が小さくなる第１テーパー面（内面）によって区画されている。
【００８１】
第２噴霧部は、第２連通路５４と、第２連通路５４の先端部に位置する第２噴霧孔５２とを有する。第２連通路５４は、第２噴霧孔５２側に向かうにつれて内径が小さくなる第２テーパー面（内面）によって区画されている。第２連通路５４は、第１連通路５３から分岐している。
【００８２】
図１０に示すように、エア案内管３１は、主管３１ａと、副管３１ｂとを有する。主管３１ａは、水案内管４１の胴部１０の水流路Ｆ２に接続されており、副管３１ｂは、オリフィス部５０の第２連通路５４に接続されている。
【００８３】
主管３１ａの先端部及び副管３１ｂの先端部のそれぞれには、例えば図１１に示すような複数のエア導入孔４３ａを有する気泡形成部４３が設けられている。この気泡形成部４３は、例えば主管３１ａの先端部及び副管３１ｂの先端部のそれぞれに設けられた板状の部材であり、複数のエア導入孔４３ａが形成されている。主管３１ａの気泡形成部４３は、水案内管４１の水流路Ｆ２内に配置され、副管３１ｂの気泡形成部４３は、第２連通路５４内に配置される。なお、気泡形成部４３は、例えば多孔質材などであってもよい。
【００８４】
この変形例１では、水案内管４１の水流路Ｆ２は、第１気泡混入部２１として機能し、第２連通路５４は、第２気泡混入部２２として機能する。
【００８５】
変形例１でも同様に、噴霧ノズル５は、第２噴霧孔５２が第１噴霧孔５１よりも熱交換器１３に近い位置となるように配置される。第２噴霧孔５２は、第１噴霧孔５１が噴霧する水よりも微粒化された水を噴霧する。
【００８６】
図１２（Ａ）は、噴霧ノズル５の変形例２を示す断面図であり、図１２（Ｂ）は、変形例２の噴霧ノズル５、熱交換器１３及び送風機１４の配置例１を示す側面図である。図１２（Ａ）に示すように、この変形例２の噴霧ノズル５は、１つの噴霧孔５１（５２）のみを有する。
【００８７】
そして、例えば２つの噴霧ノズル５（５Ａ、５Ｂ）が、熱交換器１３に対して例えば図１２（Ｂ）に示すように配置される。第１噴霧ノズル５Ａは、第１噴霧孔５１を有し、第２噴霧ノズル５Ｂは、第２噴霧孔５２を有する。第２噴霧ノズル５Ｂの第２噴霧孔５２は、第１噴霧ノズル５Ｂの第１噴霧孔５１よりも熱交換器１３に近い位置に設けられる。第２噴霧ノズル５Ｂの第２噴霧孔５２から噴霧される水は、第１噴霧ノズル５Ｂの第１噴霧孔５１から噴霧される水よりも微粒化されている。
【００８８】
図１２（Ｂ）に示すように、第１噴霧ノズル５Ａの第１噴霧孔５１から噴霧される水は、例えば二点鎖線Ｓ1によって示されるような軌跡を描いて移動する。第１噴霧孔５１から噴霧される水は、主として熱交換器１３の高さ方向の中央付近や下部に流れ込む空気を冷却する。
【００８９】
これに対し、第２噴霧ノズル５Ａの第２噴霧孔５２から噴霧される水は、例えば二点鎖線Ｓ２によって示されるような軌跡を描いて移動する。第２噴霧孔５２から噴霧される水は、主として熱交換器１３の高さ方向の上部に流れ込む空気を冷却する。
【００９０】
図１３（Ａ）は、図１２（Ａ）に示す噴霧ノズル５（５Ａ，５Ｂ）、熱交換器１３及び送風機１４の配置例２を示す側面図であり、図１３（Ｂ）は、図１２（Ａ）に示す噴霧ノズル５（５Ａ，５Ｂ）、熱交換器１３及び送風機１４の配置例３を示す側面図である。
【００９１】
図１３（Ａ）では、第１噴霧ノズル５Ａの第１噴霧孔５１から噴霧される水の噴霧方向は、熱交換器１３から遠ざかる方向Ｄ２に向いている。また、第１噴霧ノズル５Ａの第１噴霧孔５１から噴霧される水の噴霧方向は、第２噴霧ノズル５Ｂの第２噴霧孔５２から噴霧される水の噴霧方向に対して遠ざかる方向に傾斜している。
【００９２】
図１３（Ｂ）では、さらに、第２噴霧ノズル５Ｂの第２噴霧孔５２から噴霧される水の噴霧方向は、熱交換器１３に近づく方向Ｄ１に向いている。
【００９３】
なお、第１噴霧孔５１から噴霧される水の噴霧方向は、第１噴霧ノズル５Ａの長手方向であり、第２噴霧孔５２から噴霧される水の噴霧方向は、第２噴霧ノズル５Ｂの長手方向である。
【００９４】
以上説明したように、本実施形態では、室外機１は、熱交換器１３と、熱交換器１３に向かう空気に水を噴霧するための噴霧装置４と、を備える。噴霧装置４は、水を噴霧する第１噴霧孔５１と第２噴霧孔５２を有する。第２噴霧孔５２は、第１噴霧孔５１よりも熱交換器１３に近い位置に設けられ、第１噴霧孔５１が噴霧する水よりも微粒化された水を噴霧する。このように熱交換器１３との距離が近い第２噴霧孔５２から噴霧される水は微細化されているので、熱交換器１３に到達する前に蒸発しやすくなる。これにより、熱交換器１３の腐食を抑制することができる。
【００９５】
図３や図１０に示す実施形態では、噴霧装置４は、第１気泡混入部２１、第２気泡混入部２２、第１噴霧孔５１及び第２噴霧孔５２を一体として有する噴霧ノズル５を備える。
【００９６】
この構成では、単一の噴霧ノズル５において第１噴霧孔５１と第２噴霧孔５２が設けられているので、単一の噴霧ノズル５によって広い範囲をカバーしつつ、熱交換器１３の腐食を抑制できる。
【００９７】
図３や図１０に示す実施形態では、第１気泡混入部２１において生成された第１混入水Ｗ１の一部が、第２気泡混入部２２に分流され、第２気泡混入部２２は、第１気泡混入部２１から分流した第１混入水Ｗ１に対してさらに気泡を混入することによって第２混入水Ｗ２を生成する。
【００９８】
この構成では、第２混入水Ｗ２には第１混入水Ｗ１よりも多くの気泡が混入されているので、この第２混入水Ｗ２が供給される第２噴霧孔５２から噴霧される水の粒径を小さくすることができる（微粒化効果が高い）。
【００９９】
前記室外機において、第１噴霧孔５１から噴霧される水の噴霧方向が、熱交換器１３から遠ざかる方向に向いている場合には、その水が熱交換器１３に到達するまでの距離をより長くすることができるので、蒸発する前に熱交換器１３に到達するのをさらに抑制できる。
【０１００】
前記室外機において、第１噴霧孔５１から噴霧される水の噴霧方向が、第２噴霧孔５２から噴霧される水の噴霧方向に対して遠ざかる方向に傾斜している場合には、第１噴霧孔５１から噴霧される水の拡散範囲と、第２噴霧孔５２から噴霧される水の拡散範囲とが重なりにくくなる。したがって、互いの拡散範囲が重なることに起因して水の粒径が大きくなるのを抑制できる。
【０１０１】
第２噴霧孔５２から噴霧される水（副噴霧水）の噴霧方向は、第１噴霧孔５１から噴霧される水（主噴霧水）に対して、干渉しない角度、又は干渉しにくい角度に設定されることによって、主噴霧水の飛行範囲と副噴霧水の飛行範囲とが重なり合うのを抑制できる。
【０１０２】
また、主噴霧水の噴霧方向が熱交換器１３から離れる方向である場合には、主噴霧水の液滴の蒸発時間が長くなるため、粒径をあまり小さくしなくてよい。これにより、第１混入水Ｗ１を生成するために必要なガス量を少なくできる。よって、噴霧装置４全体としては、ガスの消費量が増加しないか、又はガスの消費量を低減でき、且つ、熱交換器１３への液滴（水滴）の付着を抑制できる。
【０１０３】
以上、本発明の実施形態について説明したが、本発明はこれらの実施形態に限定されるものではなく、その趣旨を逸脱しない範囲で種々変更、改良等が可能である。
【０１０４】
例えば、前記実施形態では、噴霧装置４が複数の噴霧ノズル５を備える場合を例示したが、これに限られず、噴霧装置４は、１つの噴霧ノズル５のみを備えていてもよい。
【０１０５】
前記実施形態では、第２混入水Ｗ２における水に対するガスの比率が、第１混入水Ｗ１における水に対するガスの比率よりも大きい場合を例示したが、これに限られない。第２噴霧孔５２から噴霧される水の粒径を第１噴霧孔５１から噴霧される水の粒径よりも小さくするには、水に対するガスの比率を上記のように設定する以外に、第１噴霧孔５１の孔径よりも第２噴霧孔５２の孔径を小さくするなどの方法が挙げられる。
【符号の説明】
【０１０６】
１  室外機
４  噴霧装置
５  噴霧ノズル
１０  胴部
１３  熱交換器
１４  送風機
２１  第１気泡混入部
２２  第２気泡混入部
３１  エア案内管
５０  オリフィス部
５１  第１噴霧孔
５２  第２噴霧孔
５３ｃ  分岐孔
５５  エア導入孔
Ｗ１  第１混入水
Ｗ２  第２混入水
【図１】
2014126325.tif 000003
【図２】
2014126325.tif 000004
【図３】
2014126325.tif 000005
【図４】
2014126325.tif 000006
【図５】
2014126325.tif 000007
【図６】
2014126325.tif 000008
【図７】
2014126325.tif 000009
【図８】
2014126325.tif 000010
【図９】
2014126325.tif 000011
【図１０】
2014126325.tif 000012
【図１１】
2014126325.tif 000013
【図１２】
2014126325.tif 000014
【図１３】
2014126325.tif 000015